(57)【要約】 【課題】  点滴中に病院内を移動する際、院内感染の心配が生じることなく移動できるようにするための院内感染防止用用具の提供を図る。【解決手段】  移動用キャスターを具えた点滴用スタンドと、当該スタンドを用いた点滴中の患者とを、各一緒に被うためのカバー体を具え、当該カバー体は、当該点滴用スタンドの上端部分で支持されるように構成した院内感染防止用具。【選択図】  図１
2014054440.tif 000002
【特許請求の範囲】
【請求項１】
患者が入れる程度の間隔を保って左右に対向させて成りかつ患者の背丈より丈高としたスタンド柱(１，１)の下端に、キャスター(３，３)を具えた移動用脚体(２，２)を取付け、                                        
当該スタンド柱(１．１)の上端には、スタンド柱(１,１)の上端部寄り両側部に固設するための両側部水平枠(４,４)と、当該水平枠の前後部に立ち上がるように連設する先端枠(５)と後端枠(６)と、その中央部に位置する中央枠(７)とで形成した正面山型状を呈する屋根状枠体(A)を固設し、
患者の出入りを行わせるための開閉用部(８ｂ)を後方に具えかつ患者の頭の上から膝の高さまでを被うためのシート状カバー体(8)を、前記屋根状枠体(A)に被せることに依って、当該屋根状枠体(A)の全周にわたって垂設するように構成した院内感染防止用具。
【請求項２】
スタンド柱 (１，１)として、一本の管材を逆Ｕ状に折り曲げることに依って一体的に形成したものを用い、このように折り曲げることに依って上端に形成される天管部を、屋根状枠体(A)の中央枠(７)として機能させるように構成した請求項１に記載の院内感染防止用具。
【請求項３】
両側部水平枠(４,４)の後半部を伸縮自在とすることに依り、不使用時においてはこれを引っ込ませて後端枠(６)を前方に引き寄せることに依り、不使用時コンパクト化目的の達成が図られるように構成した請求項１または請求項２の何れかに記載の院内感染防止用具。
【請求項４】
後端枠(６)を上方に跳上げるように構成することに依り、不使用時コンパクト化目的の達成が図られるように構成した請求項１または請求項２の何れかに記載の院内感染防止用具。
【発明の詳細な説明】
【技術分野】
【０００１】
本発明は、点滴中に病院内を移動する際、院内感染の心配が生じることなく移動できるようにするための院内感染防止用具に関する。
【背景技術】
【０００２】
従来、例えば病室から、診察室への移動、会計のための窓口への移動、見舞客との歓談のための待合室への移動等、病院内を移動する機会は結構多いものである。  そして、これらの移動に際して他の患者や外来者との接触に基き、風邪等の病気をうつされてしまう、いわゆる院内感染の恐れが生じることを余儀なくされた。
【０００３】
従来、このような感染を防止するための手段として、予防衣を着用することを通例とした（例えば第１特許文献参）。
然し乍、点滴を受けながらの移動時には、点滴用スタンド（例えば第２特許文献参照）と共に移動しなければならず、そしてこれと連なっている点滴の管の存在もあるため、上記したような予防衣の脱ぎ着は必然的に困難とされた。  
【０００４】
そして、このように腕部分を露出状態にあり、かつ、点滴用チューブが腕に刺し込まれている状態では、上記したような予防衣着用が出来ず、従って、その移動時に院内感染を生じてしまう確率が比較的高いものとされた。  更に、点滴を受けていると言うことは、体力的な低下が生じている場合が多く、従って、病原菌に対する耐性が弱く、院内感染の恐れがより一層強まることとなる。
【先行技術文献】
【特許文献】
【０００５】
【特許文献１】特開２０００−０７３２０９号公報
【特許文献２】特開２０１１−０１０６８２号公報
【発明の概要】
【発明が解決しようとする課題】
【０００６】
本発明は、点滴を受けながらの移動に際しては、点滴用スタンドを含めて体全体がカバー体に覆われるようにすることによって、院内感染に対する恐れを回避させ、以って前述したような従来の問題点の解消化を図るように構成した新規の院内感染防止用具を提供するものである。
【課題を解決するための手段】
【０００７】
本発明は請求項１に記載のように、患者が入れる程度の間隔を保って左右に対向させて成りかつ患者の背丈より丈高としたスタンド柱１，１の下端に、キャスター３，３を具えた移動用脚体２，２を取付け、当該スタンド柱１．１の上端には、スタンド柱１,１の上端部寄り両側部に固設するための両側部水平枠４,４と、当該水平枠の前後部に立ち上がるように連設する先端枠５と後端枠６と、その中央部に位置する中央枠７とで形成した正面山型状を呈する屋根状枠体Aを固設し、患者の出入りを行わせるための開閉用部８ｂを後方に具えかつ患者の頭の上から膝の高さまでを被うためのシート状カバー体８を、前記屋根状枠体Aに被せることに依って、当該屋根状枠体Aの全周にわたって垂設するように構成した院内感染防止用具に係る。
【０００８】
本発明は請求項２に記載のように、スタンド柱１，１として、一本の管材を逆Ｕ状に折り曲げることに依って一体的に形成したものを用い、このように折り曲げることに依って上端に形成される天管部を、屋根状枠体Aの中央枠７として機能させるように構成した請求項１に記載の院内感染防止用具を実施の態様とする。
【０００９】
本発明は請求項３に記載のように、両側部水平枠４,４の後半部を伸縮自在とすることに依り、不使用時においてはこれを引っ込ませて後端枠６を前方に引き寄せることに依り、不使用時コンパクト化目的の達成が図られるように構成した請求項１または請求項２の何れかに記載の院内感染防止用具を実施の態様とする。
【００１０】
本発明は請求項４に記載のように、後端枠６を上方に跳上げるように構成することに依り、不使用時コンパクト化目的の達成が図られるように構成した請求項１または請求項２の何れかに記載の院内感染防止用具を実施の態様とする。
【発明の効果】
【００１１】
本発明は請求項１に記載のような構成、すなわち、患者が入れる程度の間隔を保って左右に対向させて成りかつ患者の背丈より丈高としたスタンド柱１，１の下端に、キャスター３，３を具えた移動用脚体２，２を取付け、当該スタンド柱１．１の上端には、スタンド柱１,１の上端部寄り両側部に固設するための両側部水平枠４,４と、当該水平枠の前後部に立ち上がるように連設する先端枠５と後端枠６と、その中央部に位置する中央枠７とで形成した正面山型状を呈する屋根状枠体Aを固設し、患者の出入りを行わせるための開閉用部８ｂを後方に具えかつ患者の頭の上から膝の高さまでを被うためのシート状カバー体８を、前記屋根状枠体Aに被せることに依って、当該屋根状枠体Aの全周にわたって垂設するように構成したから、点滴を行いながらの移動に際して、点滴用スタンドを含めて患者の体全体がカバー体８に覆われているため、身体に対する黴菌が付着することがよく防止され、いわゆる院内感染というような事態発生を未然に回避させる。
同時に、例えばカバー体を不透明材料で形成した場合、カバー体内の患者は、周りの人々の眼から遮られているため、一般人と紛れていても、点滴患者であることに基づく一種の気恥ずかしさを感じることなく移動することが出来る。
【００１２】
そして、当該カバー体８はその中心寄り部分では中央枠７により、また、前端及び後端においては、先端枠５と後端枠６でそれぞれ安定した状態で支えられることとなるから、当該カバー体８が局部的に垂れ下がってしまうようなことがない。
【００１３】
更に、カバー体８を支える屋根状枠体Aを、正面山型状を呈するように構成してあるから、頭部スペースが確保され、シート状カバー体８内に患者が入る際に頭をぶつけてしまうと言うような事柄を防止する。
【００１４】
本発明は請求項２に記載のような構成、すなわち、スタンド柱１，１として、一本の管材を逆Ｕ状に折り曲げることに依って一体的に形成したものを用い、このように折り曲げることに依って上端に形成される天管部を、屋根状枠体Aの中央枠７として機能させるように構成したから、製造コストの低廉化と製造作業の容易化、並びに、屋根状枠体A自体のスタンド柱に対する取付け的堅牢性が図られる。
【００１５】
本発明は請求項３に記載のような構成、すなわち、両側部水平枠４,４の後半部を伸縮自在とすることに依り、不使用時においてはこれを引っ込ませて後端枠６を前方に引き寄せることに依り、不使用時コンパクト化目的の達成が図られるように構成したから、不使用時並びに輸送時の管理が著しく簡便化される。
【００１６】
本発明は請求項４に記載のような構成、すなわち、後端枠６を上方に跳上げるように構成することに依り、不使用時コンパクト化目的の達成が図られるように構成したから、不使用時並びに輸送時の管理が著しく簡便化される。
【図面の簡単な説明】
【００１７】
【図１】本発明の使用状態を表した説明用斜視図である。
【図２】カバー体を取り外した状態を示す本発明の斜視図である。
【図３】本発明のコンパクト化のための作動を表した説明用側面図である。
【図４】本発明のコンパクト化のための他の実施例を表した説明用側面図である。
【発明を実施するための形態】
【００１８】
図１乃至図３は本発明の１実施例を表したものである。  同図において、１，１は左右対称的に立設するスタンド柱であって、その長さは患者の背丈より丈高なものとすると共に、当該両支柱１，１の対向間隔は、患者が入れる程度の間隔を保って左右に対向させてある。  １ａ，１ａは当該スタンド柱１，１の所要箇所に付設した引掛け鉤であって、点滴等の器具を吊り下げるためのものである。
【００１９】
なお、図示の実施例にあっては、当該スタンド柱１，１を一本の管材を逆Ｕ状に折り曲げることに依って、天管部が後述する屋根状枠体Aの中央枠７として機能させるように構成してある。  然し乍、重要な点は、スタンド柱１，１が所要間隔を保って左右に並べて立設されていることにあり、その上端部において図示のように連続状に形成することは必須要件ではない。
【００２０】
２，２はその上面にスタンド柱１,１を立設する移動用脚体であって、その下面にはキャスター３，３が取り付けられている。  なお、当該スタンド柱の１,１の立設は、移動用脚体２,２対して直接的固設を図る以外、脚体２，２の上面に立設した適宜鞘管を介してその立設を図るように構成しても良い。
【００２１】
Aは正面山型状を呈する屋根状枠体であって、スタンド柱１,１の上端部寄り両側部に固設するための両側部水平枠４,４と、当該水平枠の前後部に立ち上がるように連設する先端枠５と後端枠６と、その中央部に位置する中央枠７とで形成してある。
【００２２】
なお、図示の実施例にあっては、上記中央枠７は、スタンド柱１，１を一本の管材を逆Ｕ状に折り曲げることに依って、天管部が当該中央枠７として機能させるように構成してある。  然し乍、これを別体形成するように構成しても良い。
【００２３】
また、当該屋根状枠体Aにおいて重要な点は、これを正面山型状とすることに依り上方スペースの確保を図った点にあり、これにより、図１に示すような本発明品の使用時、使用者の頭部スペースの確保が図られるように構成したことにある。  そして、使用者の頭部が当たらないように、また、当たった際の衝撃を少なくするために、先端枠５と後端枠６並びに中央枠７の隅角部は弧状に形成してある。
【００２４】
更に、図１乃至図３に示す実施例にあっては、両側部水平枠４,４の後半部を伸縮自在とすることに依り、不使用時においてはこれを引っ込ませて後端枠６を前方に引き寄せることに依り、不使用時コンパクト化目的の達成が図られるように構成してある(図３参照)。  
【００２５】
また、当該コンパクト化の手段として、図４に示すような後端枠６を  両側部水平枠４，４の後半部を含めて上方に跳上げるような方式(両側部水平枠４，４の後半部を起伏自在に枢支する)を採るように構成しても良い。  更に、このような不使用時コンパクト化のための構成は絶対的要件ではなく、これを省略した形態で実施する場合もある。
【００２６】
８はシート状カバー体であって、上記した屋根状枠体Aに対して被せることに依って、その全周わたってカーテン状に垂下させるように取付けてある。  なお、当該シート状カバー体８は、点滴を行っている患者の頭の上から膝の高さまでを被う程度の丈幅を具えており、中に入っている患者の様子が外部から分からないようにするためのものである。
【００２７】
また、上記したシート状カバー体８は不透明な材料を用いると共に、防菌性、耐消毒処理に適した材料、例えば合成樹脂製シート材等を用いることが好ましいが、布材、化学繊維材等のような軽い材質のものであっても良い。
【００２８】
８ａは上記患者の眼のあたりに位置するように設けた透明資材製窓部であって、歩行に際する透視用窓としての役割を果たすものである。  すなわち、シート状カバー体８内にいる患者は、シート状カバー体８が不透明素材の場合は周りの人々から見られることがないが、歩行時の視野が妨げられることとなる。  そのために、当該透明資材製窓部８ａを透して当該患者の視界確保がなされるように構成してある。  なお、シート状カバー体８を透明資材で形成した場合は、このような窓部８ａの形成は不要である。
【００２９】
また、上記したシート状カバー体８の後方部分には、患者の出入りを行わせるために、その高さ方向全長に渡って開閉用部８ｂが形成してある。  当該開閉用部８ｂは図示のように両端縁を開閉自在に重ね合わせるように構成したもの（巻きスカート状の構成）以外、スリット状に構成したもの、若しくは、開閉用部の両端縁をファスナーまたはスナップ止めで開閉自在とするように構成したもの等、適宜形態のものであっても可とする。
【符号の説明】
【００３０】
１    スタンド柱
１ａ  引掛け鉤
２    移動用脚体
３    キャスター
A     屋根状枠体
４    両側部水平枠
５    先端枠
６    後端枠
７    中央枠
８    シート状カバー体
８ａ  窓部
８ｂ  開閉用部
【図１】
2014054440.tif 000003
【図２】
2014054440.tif 000004
【図３】
2014054440.tif 000005
【図４】
2014054440.tif 000006